(57)【要約】【課題】過去に調理した料理についての、調理機器の制御情報を含む調理レシピ又は調理コメントを適切に生成する。【解決手段】調理レシピの作成方法は、調理機器により調理が行われた時刻に関連する第一の時刻情報を取得する料理時刻取得ステップＳ８０１と、調理機器の制御が行われた時刻を示す第二の時刻情報に関連付けられた調理機器の制御情報を保存する制御履歴情報保存ステップＳ８０２と、調理機器の識別子と制御履歴情報とを取得する制御情報取得ステップＳ８０３と、第一の時刻情報から所定時間内にある第二の時刻情報に関連付けられた調理機器の制御情報を抽出する制御情報抽出ステップＳ８０４と、調理レシピに対応する調理機器の識別子と、抽出された調理機器の制御情報とをサーバに送信する送信ステップＳ８０５と、送信された調理レシピに対応する調理機器の識別子と制御情報とを格納する格納ステップＳ８０６とを含む。【選択図】図３
2017021650.tif 000002
【特許請求の範囲】
【請求項１】
制御情報を含む調理レシピの作成方法であって、
前記調理レシピを作成するために、調理機器の制御履歴の中から調理に用いられた制御情報を選択する際に、
前記調理機器により調理が行われた時刻に関連する時刻情報である第一の時刻情報を取得する料理時刻取得ステップと、
前記調理機器の制御が行われた時刻を示す第二の時刻情報に関連付けられた前記調理機器の制御情報を保存する制御履歴情報保存ステップと、
前記調理機器を一意に識別可能な識別子と、前記調理機器の制御履歴情報とを取得する制御情報取得ステップと、
前記第一の時刻情報から所定時間内にある１つ以上の前記第二の時刻情報に関連付けられた、１つ以上の調理機器の制御情報を抽出する制御情報抽出ステップと、
前記調理レシピに対応する調理機器を一意に識別可能な識別子と、前記制御情報抽出ステップにより抽出された前記１つ以上の調理機器の制御情報とをサーバに送信する送信ステップと、
前記送信ステップで前記サーバに送信された前記調理レシピに対応する調理機器を一意に識別可能な識別子と、前記調理機器の制御情報とを格納する格納ステップとを含む
調理レシピの作成方法。
【請求項２】
前記所定時間は、前記料理時刻取得ステップにおいて前記第一の時刻情報の取得方法に依って異なる
請求項１に記載の調理レシピの作成方法。
【請求項３】
前記料理時刻取得ステップでは、前記第一の時刻情報を、調理レシピを構成する写真データから取得する
請求項１又は２に記載の調理レシピの作成方法。
【請求項４】
前記料理時刻取得ステップでは、前記第一の時刻情報を、ユーザの入力により取得する
請求項１又は２に記載の調理レシピの作成方法。
【請求項５】
前記制御情報抽出ステップで抽出される前記制御情報は、
前記第一の時刻情報から所定時間内にある、１つ以上の前記第二の時刻情報に関連付けられた、１つ以上の前記調理機器の制御情報をユーザに提示し、提示した制御情報からユーザが選択した制御情報である
請求項１に記載の調理レシピの作成方法。
【請求項６】
請求項１〜５のいずれか１項に記載の調理レシピの作成方法をコンピュータに実行させるためのプロブラム。
【発明の詳細な説明】
【技術分野】
【０００１】
本発明は、調理レシピの作成方法、及び、プログラムに関する。
【背景技術】
【０００２】
近年、加熱方法、加熱温度、時間などを含んだ制御情報をスマートフォンなどの携帯端末から受信し、調理を実行する調理機器が普及している。
【０００３】
例えば、スマートフォンなどの携帯端末によりインターネット上に存在する調理レシピを検索し、スマートフォンから調理機器に対して制御情報を送信し、調理を実行することができる調理機器がある。
【０００４】
このような制御情報を含む調理レシピを充実させるためには、サービス提供側が調理レシピを作成するだけでなく、調理機器を所有するユーザが、日常の料理の際に調理機器を利用して調理したときの情報を用いて、簡単に調理レシピを生成することが求められる。
【０００５】
また、特に最近では、インターネット上に存在する調理レシピに基づいてユーザが実際に調理し、「美味しかった」、「調理設定を変えてみました」等の調理コメントを写真等とともに公開することができるようになっている。このようなユーザの調理コメントの構成及び写真等は、元になっている調理レシピほど高い品質が求められない。よって、誰でも簡単に調理コメントを投稿でき、閲覧者は、調理レシピとともに自身の環境に適合する調理コメントを参考にしながら調理を行うことが可能である。
【０００６】
簡単に調理レシピを作成する技術として、調理の各手順で、調理機器に対して行われた操作内容とその操作が行われたタイミングとが付加された制御情報を自動的に作成する方法が知られている（特許文献１）。
【先行技術文献】
【特許文献】
【０００７】
【特許文献１】特開２００６−３２９４５５号公報
【発明の概要】
【発明が解決しようとする課題】
【０００８】
調理レシピを作成する場合、上記従来の方法では、レシピ作成者は調理時に、調理レシピが作成されていることを少なからず意識しながら調理に望む必要がある。そのため、過去に調理した料理についての調理レシピを生成することは、ユーザの記憶に頼る部分が多く困難である。また、気軽に調理コメントを作成する際にも、過去に調理した料理である場合、どのような調理をしたかを忘れてしまい、調理コメントを作成することが難しいという課題がある。
【０００９】
そこで、本発明は、過去に調理した料理についての、調理機器の制御情報を含む調理レシピ又は調理コメントを適切に生成する、調理レシピの作成方法等を提供することを目的とする。
【課題を解決するための手段】
【００１０】
本発明の一態様に係る調理レシピの作成方法は、制御情報を含む調理レシピの作成方法であって、前記調理レシピを作成するために、調理機器の制御履歴の中から調理に用いられた制御情報を選択する際に、前記調理機器により調理が行われた時刻に関連する時刻情報である第一の時刻情報を取得する料理時刻取得ステップと、前記調理機器の制御が行われた時刻を示す第二の時刻情報に関連付けられた前記調理機器の制御情報を保存する制御履歴情報保存ステップと、前記調理機器を一意に識別可能な識別子と、前記調理機器の制御履歴情報とを取得する制御情報取得ステップと、前記第一の時刻情報から所定時間内にある１つ以上の前記第二の時刻情報に関連付けられた、１つ以上の調理機器の制御情報を抽出する制御情報抽出ステップと、前記調理レシピに対応する調理機器を一意に識別可能な識別子と、前記制御情報抽出ステップにより抽出された前記１つ以上の調理機器の制御情報とをサーバに送信する送信ステップと、前記送信ステップで前記サーバに送信された前記調理レシピに対応する調理機器を一意に識別可能な識別子と、前記調理機器の制御情報とを格納する格納ステップとを含む。
【００１１】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１２】
本発明の調理レシピの作成方法によれば、過去に調理した料理についての、調理機器の制御情報を含む調理レシピ又は調理コメントが適切に生成される。
【図面の簡単な説明】
【００１３】
【図１】図１は、実施の形態における調理レシピの作成システムの構成の一例を表す説明図である。
【図２】図２は、実施の形態における調理レシピの作成システムの詳細構成の一例を表すブロック図である。
【図３】図３は、実施の形態における調理からレシピ作成までの処理の一例を表すフロー図である。
【図４】図４は、実施の形態における調理後の写真から、調理で利用した制御情報を抽出する方法を示す説明図である。
【図５】図５は、実施の形態におけるユーザによる入力された時刻から、調理で利用した制御情報を抽出する方法を示す説明図である。
【図６】図６は、実施の形態における調理レシピ作成時に抽出された制御情報のうち、調理レシピに利用したものを、ユーザの選択により決定する方法を示す説明図である。
【図７】図７は、実施の形態における調理レシピ作成時に抽出された制御情報のうち、調理レシピ内の作り方手順に利用したものを、ユーザの選択により決定する方法を示す説明図である。
【図８】図８は、実施の形態における調理レシピの作成方法を示すフロー図である。
【発明を実施するための形態】
【００１４】
上記課題を解決するために、本発明の一態様に係る調理レシピの作成方法は、制御情報を含む調理レシピの作成方法であって、前記調理レシピを作成するために、調理機器の制御履歴の中から調理に用いられた制御情報を選択する際に、前記調理機器により調理が行われた時刻に関連する時刻情報である第一の時刻情報を取得する料理時刻取得ステップと、前記調理機器の制御が行われた時刻を示す第二の時刻情報に関連付けられた前記調理機器の制御情報を保存する制御履歴情報保存ステップと、前記調理機器を一意に識別可能な識別子と、前記調理機器の制御履歴情報とを取得する制御情報取得ステップと、前記第一の時刻情報から所定時間内にある１つ以上の前記第二の時刻情報に関連付けられた、１つ以上の調理機器の制御情報を抽出する制御情報抽出ステップと、前記調理レシピに対応する調理機器を一意に識別可能な識別子と、前記制御情報抽出ステップにより抽出された前記１つ以上の調理機器の制御情報とをサーバに送信する送信ステップと、前記送信ステップで前記サーバに送信された前記調理レシピに対応する調理機器を一意に識別可能な識別子と、前記調理機器の制御情報とを格納する格納ステップとを含む。
【００１５】
これによれば、過去に調理した料理であっても、当該料理に使用された調理機器の制御情報が抽出される。ユーザによる調理レシピ又は調理コメントの作成時に、抽出された調理機器の制御情報を提示することより、調理機器の制御内容から、ユーザが料理の作成手順等を書く手助けとなる。さらに、制御情報を調理レシピ又は調理コメントに含ませることも、ユーザに煩わしい入力手順を行わせることはなく、抽出する制御情報を調理レシピ又は調理コメントの作成情報とともにサーバに送信することで実現できる。また、調理レシピに付帯する情報としての制御情報が調理コメントに含まれるようになると、調理レシピとしての利用方法が広がる。例えば、ユーザが調理レシピに含まれる制御情報に適応する調理機器を所有していない場合、調理コメントの中から、自身の所有する調理機器に適用できる調理コメントを採用することで、調理機器の制御が可能となる。
【００１６】
例えば、前記所定時間は、前記料理時刻取得ステップにおいて前記第一の時刻情報の取得方法に依って異なる。
【００１７】
これによれば、例えば、第一の時刻情報が調理完了後の時刻を表す場合、第一の時刻情報より前に実行された制御履歴情報が抽出される。調理完了後の時刻から、調理にかかると想定される数時間前の間で実行された制御情報は、調理に利用した制御情報と判断できる。また、例えば、ユーザに調理にかかる時間を事前に設定してもらうことにより、第一の時刻情報から、ユーザ設定時間以前の時刻を抽出することにより、料理に利用したと想定される制御情報の正確な抽出が可能となる。
【００１８】
例えば、前記料理時刻取得ステップでは、前記第一の時刻情報を、調理レシピを構成する写真データから取得する。
【００１９】
これによれば、ユーザに負荷をかけずにより正確に料理に利用したと想定される制御情報を抽出することが可能となる。調理レシピ又は調理コメントの作成者は、最も料理が美味しそうに見える調理直後の写真を取り、それを公開する場合が多い。そのため、従来の調理レシピ又は調理コメントの作成手順に加えて、ユーザの新たな負荷をかけることなく、制御情報を抽出することが可能となる。
【００２０】
例えば、前記料理時刻取得ステップでは、前記第一の時刻情報を、ユーザの入力により取得する。
【００２１】
これによれば、過去に調理した内容に関する情報として、調理した時刻に比較的近い時刻情報を覚えていれば、料理に利用したと想定される制御情報の抽出が可能となり、抽出された調理機器の制御内容から、ユーザが料理の作成手順等を書く手助けとなる。
【００２２】
例えば、前記制御情報抽出ステップで抽出される前記制御情報は、前記第一の時刻情報から所定時間内にある、１つ以上の前記第二の時刻情報に関連付けられた、１つ以上の前記調理機器の制御情報をユーザに提示し、提示した制御情報からユーザが選択した制御情報である。
【００２３】
これによれば、ユーザは調理レシピ又は調理コメントの作成時に、調理機器の制御情報を確認できるとともに、作成する調理レシピ又は調理コメント内に含めたくない制御情報を排除できる。
【００２４】
また、本発明の一態様に係るプログラムは、上記の調理レシピの作成方法をコンピュータに実行させるためのプロブラムである。
【００２５】
これにより、上記調理レシピの作成方法と同様の効果を奏する。
【００２６】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００２７】
以下、実施の形態について、図面を参照しながら説明する。
【００２８】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００２９】
（実施の形態１）
図１は、本実施の形態における調理レシピの作成システム１の構成の一例を表す説明図である。
【００３０】
図１に示されるように、調理レシピの作成システム１は、調理機器１００と、情報端末２００と、サーバ３００とを備えている。なお、図１においては、サーバ３００と情報端末２００とが基地局４００を介して通信接続されている例を示している。しかしながら、本発明はこの例に限定されず、情報端末２００とサーバ３００とがネットワーク網を経由して接続されていてもよい。
【００３１】
調理機器１００は、例えば、電子レンジ、炊飯器、ＩＨクッキングヒーター、トースター、コンロ、グリル、オーブン、ミキサー、又は、コーヒーメーカ等を含む。
【００３２】
図２は、本実施の形態における調理レシピの作成システム１の詳細構成の一例を表すブロック図である。図２は、図１における調理機器１００、情報端末２００、及びサーバ３００それぞれの構成を示すブロック図である。
【００３３】
調理機器１００は、無線部１１０と、操作部１２０と、制御部１３０と、時刻計測部１４０と、データ記憶部１５０とを有している。
【００３４】
無線部１１０は、通信手段（通信インタフェース）であり、例えば赤外線通信、特定小電力無線、ＮＦＣ（Ｎｅａｒ  Ｆｉｅｌｄ  Ｃｏｍｍｕｎｉｃａｔｉｏｎ）、無線タグ、または、ＲＦＩＤ（Ｒａｄｉｏ  Ｆｒｅｑｕｅｎｃｙ  ＩＤｅｎｔｉｆｉｃａｔｉｏｎ）、Ｂｌｕｅｔｏｏｔｈ（登録商標）、Ｗｉ−Ｆｉ等の無線通信技術を用いて実現される。
【００３５】
操作部１２０は、ユーザが調理機器１００を操作するのに利用される。例えば、調理機器１００が電子レンジ（オーブンレンジ）の場合、ユーザは、操作パネルにより「オーブン」又は「レンジ５００Ｗ」等のコースを選択するとともに、調理時間を入力する。
【００３６】
制御部１３０は、無線部１１０、又は操作部１２０より入力された制御情報を受け取り、調理機器１００を操作する。
【００３７】
時刻計測部１４０は、ＵＴＣ（協定世界時）等の、絶対時刻を計測している。
【００３８】
データ記憶部１５０には、調理機器識別情報１５１、制御履歴情報１５２が保存される。
【００３９】
調理機器識別情報１５１は、調理機器１００を識別する情報であり、例えば、電子レンジ、炊飯器、ＩＨクッキングヒーター、トースター、コンロ、グリル、オーブン、ミキサー若しくはコーヒーメーカ等の調理機器、又は、各調理機器の品番等を一意に識別するための識別子（識別情報）である。
【００４０】
制御履歴情報１５２は、調理機器１００を制御した履歴情報である。例えば、ＡＡ年ＢＢ月ＣＣ日ＤＤ時ＥＥ分ＦＦ秒に「レンジ６００Ｗ３分」等の制御をした場合には、時刻情報と制御情報とが、制御履歴情報１５２として保存される。本実施の形態では、ユーザによる操作に基づいて無線部１１０、又は、操作部１２０より調理機器１００を制御する際に、制御部１３０は、時刻計測部１４０から、制御がなされた時刻を取得し、制御内容を、制御履歴情報として、データ記憶部１５０に保存する。しかしながら、本発明の制御履歴情報保存方法はこの例に限定されず、例えば、調理機器１００を制御した際に、無線部１１０を通じて制御情報がサーバ３００に送信され、サーバ３００内で計測している時刻と、受信した制御情報とを制御履歴情報として保存しておくことでも実現可能である。
【００４１】
情報端末２００は、無線部２１０と、表示部２２０と、操作部２３０と、撮影部２４０と、データ記憶部２５０と、制御演算部２６０と、通信部２７０とを有している。
【００４２】
無線部２１０は、無線部１１０との通信を行う通信手段（通信インタフェース）であり、無線部１１０の通信方式と対応する通信方式による通信手段、つまり、無線部１１０と通信可能な通信手段を用いて実現される。
【００４３】
操作部２３０は、ユーザが調理レシピを作成する際の情報を入力する際、又は、撮影部２４０にて写真等の撮影を操作する際に利用する。
【００４４】
撮影部２４０は、カメラであり、撮影した写真又は動画をデータ記憶部２５０へ保存する。
【００４５】
なお、本実施の形態においては、情報端末２００に撮影部２４０が取り付けられているものとして説明するが、撮影部２４０は、情報端末２００と別に構成されていてもよい。情報端末２００とは別のデジタルカメラ等で撮影した写真又は動画をデータ記憶部２５０へ保存することでも実現可能である。
【００４６】
表示部２２０は、データ記憶部２５０に記憶された情報、又は、操作部２３０によりユーザが入力している情報を表示するディスプレイである。
【００４７】
なお、本実施の形態においては、操作部２３０が、表示部２２０にタッチパネルとして組み込まれているものとして説明するが、表示部２２０と操作部２３０とが別々に構成されていてもよい。
【００４８】
データ記憶部２５０は、無線部２１０が調理機器１００より受信した制御履歴情報１５２や、撮影部２４０にて撮影された写真や動画を記憶する。
【００４９】
制御演算部２６０は、無線部２１０、表示部２２０、操作部２３０、データ記憶部２５０及び通信部２７０に対する制御、並びに、やり取りするデータの演算を行う。また、制御演算部２６０は、後述する画面表示のための表示画面データの作成、及び、表示部２２０の画面遷移制御も行う。
【００５０】
通信部２７０は通信手段（通信インタフェース）であり、サーバ３００の通信部３１０と通信を行う。通信手段としては、例えば、インターネット又はデータ通信等の通信網を用いることができる。
【００５１】
サーバ３００は、通信部３１０と、データ記憶部３２０とを有している。
【００５２】
通信部３１０は通信手段であり、情報端末２００の通信部２７０との通信を行う。
【００５３】
データ記憶部３２０は、調理レシピ情報３２１、調理レシピ制御情報３２２、及び、調理機器識別情報３２３を保存する。
【００５４】
調理レシピ情報３２１は、サービス提供側が作成している料理の作り方手順を示した調理レシピの他に、調理レシピを基にユーザが実際に調理し、「美味しかった」又は「調理設定を変えてみました」等の公開された調理コメントも含まれる。
【００５５】
調理機器識別情報３２３は、調理機器識別情報１５１と同じ情報であるが、サーバ３００では、１つ以上の調理機器１００の識別情報を含む。
【００５６】
調理レシピ制御情報３２２は、調理レシピ情報３２１に含まれる調理機器１００の制御情報である。そのため、調理機器１００を一意に識別する、調理機器識別情報３２３が紐付けられている。
【００５７】
次に、本実施の形態における動作について説明する。
【００５８】
図３は、実施の形態における調理からレシピ作成までの処理の一例を表すフロー図である。また、図３には、本実施の形態におけるユーザの動作も含まれている。
【００５９】
図３の示される一連の処理は、料理シーケンスＳ１と、その後のレシピ作成シーケンスＳ２に分けられる。各シーケンスについて説明する。
【００６０】
料理シーケンスＳ１は、ユーザが料理を行い、写真を撮影する手順を示している。
【００６１】
まず、ユーザは、将来、調理レシピ又は調理コメントとして公開する料理を作成し（ステップＳ４０１）、作成した料理の写真を撮影する（ステップＳ４０２）。ここで、作成した料理の写真は、撮影部２４０によって撮影され、データ記憶部２５０に保存される。
【００６２】
ステップＳ４０１及びＳ４０２が、料理シーケンスＳ１であり、次に述べるレシピ作成シーケンスＳ２との間には、数日間の時間があいていてもよい。
【００６３】
レシピ作成シーケンスＳ２は、料理シーケンスＳ１で撮影された料理のレシピを作成する手順を示している。
【００６４】
レシピ作成シーケンスＳ２では、操作部２３０を用いて、表示部２２０に表示された、調理レシピ作成画面を操作する。
【００６５】
まず、ステップＳ４０２にて撮影した調理後の写真データを選択する（ステップＳ４０３）。
【００６６】
次に、無線部２１０及び無線部１１０間の通信により、１つ以上の調理機器１００から制御履歴情報１５２を取得し（ステップＳ４０４）、取得した制御履歴情報１５２をデータ記憶部２５０に保存する。
【００６７】
次に、調理に利用した制御情報を抽出する（ステップＳ４０５）。図４及び図５を参照しながらステップＳ４０５について詳しく説明する。
【００６８】
図４は、本実施の形態における調理後の写真から、調理で利用した制御情報を抽出する方法を示す説明図である。より具体的には、図４は、本実施の形態における、ステップＳ４０３にて選択された写真データ４１３と、ステップＳ４０４にて１つ以上の調理機器１００から取得された制御履歴情報１５２から、ステップＳ４０１にて調理した際の制御データを抽出する説明図である。
【００６９】
ステップＳ４０５では、まず、写真データ４１３の撮影時刻である、第一の時刻情報４２５と、第一の時刻情報から所定時間前の時刻を示す時刻情報４３５までの間の時刻情報を取得する（図４では所定時間が１時間である場合を例示している）。次に、第一の時刻情報４２５と時刻情報４３５と間で調理機器１００（図４における機器１および機器２）の制御に利用された制御履歴情報を、ステップＳ４０１で使用された調理レシピ制御情報３２２として抽出する。ここで、調理機器１００の制御が行われた時刻を示す時刻情報は、第二の時刻情報に相当する。
【００７０】
ここで、時刻情報４３５は、第一の時刻情報４２５から１時間前の時刻としているが、その代わりに、サービス提供側が数時間までと固定に設定してもよいし、ユーザにより動的に設定可能であってもよい。ここでは、ユーザがステップＳ４０３にて選択する写真データは、調理レシピであっても、調理コメント作成時であっても、料理が最も美味しく見える調理の完成直後の写真を公開することが想定できる。そのため、調理機器１００の制御はその前に実行されていると考えている。
【００７１】
図５は、本実施の形態におけるユーザによる入力された時刻から、調理で利用した制御情報を抽出する方法を示す説明図である。
【００７２】
図４が写真データ４１３の撮影時刻を第一の時刻情報として利用するのに対し、図５は第一の時刻情報をユーザの入力により取得する。この場合、ユーザに依っては入力された時刻が正確ではないことが想定される。そのため、抽出する制御情報は、第一の時刻情報の前後二時間、つまり、第一の時刻情報の２時間前から第一の時刻情報の２時間後まで、というように幅をもたせている。
【００７３】
図３に戻り、ステップＳ４０６では、ステップＳ４０５にて、抽出された制御情報の中から、ユーザがレシピに利用する制御情報を確認及び選択する。
【００７４】
図６及び図７を参照しながら、調理レシピ作成画面について説明する。図６は、本実施の形態における調理レシピ作成時に抽出された制御情報のうち、調理レシピに利用したものを、ユーザの選択により決定する方法を示す説明図である。図７は、本実施の形態における調理レシピ作成時に抽出された制御情報のうち、調理レシピ内の作り方手順に利用したものを、ユーザの選択により決定する方法を示す説明図である。
【００７５】
図６は、調理レシピ作成画面例であり、制御情報リスト４１７はステップＳ４０５にて抽出された調理レシピ制御情報３２２を示す。ユーザは、チェックボックス４１８にて、調理レシピに利用する制御情報を選択する。これにより、ユーザは調理機器の制御情報を確認できると共に、作成する調理レシピに含めたくない制御情報を排除できる。
【００７６】
図７は、作り方手順が複数ある調理レシピ作成画面例であり、制御情報リスト４１７はステップＳ４０５にて抽出された調理レシピ制御情報３２２を示す。ユーザは、セレクトボックス４１９にて、調理レシピ内の作り方手順番号を選択する。これにより、ユーザは調理機器の制御情報を確認し、作成する調理レシピに含めたくない制御情報を排除できるとともに、作り方の手順内に調理機器の制御情報を含む調理レシピが作成できる。
【００７７】
図３に戻り、ステップＳ４０７では、図６及び図７で入力するような、調理レシピ作成情報、又は、調理コメント作成情報と共に、調理機器１００の制御履歴情報１５２をサーバ３００に送信する。サーバ３００では、受信した情報を、調理レシピ情報３２１と、調理レシピ制御情報３２２に追加する。
【００７８】
上記に示した調理レシピの作成方法は、以下のようにも表現される。図８は、本実施の形態における調理レシピの作成方法を示すフロー図である。
【００７９】
図８に示されるように、本実施の形態に係る調理レシピの作成方法は、制御情報を含む調理レシピの作成方法であって、調理レシピを作成するために、調理機器１００の制御履歴の中から調理に用いられた制御情報を選択する際に、調理機器１００により調理が行われた時刻に関連する時刻情報である第一の時刻情報を取得する料理時刻取得ステップ（Ｓ８０１）と、調理機器１００の制御が行われた時刻を示す第二の時刻情報に関連付けられた調理機器１００の制御情報を保存する制御履歴情報保存ステップ（Ｓ８０２）と、調理機器１００を一意に識別可能な識別子と、調理機器１００の制御履歴情報とを取得する制御情報取得ステップ（Ｓ８０３）と、第一の時刻情報から所定時間内にある１つ以上の第二の時刻情報に関連付けられた、１つ以上の調理機器１００の制御情報を抽出する制御情報抽出ステップ（Ｓ８０４）と、調理レシピに対応する調理機器１００を一意に識別可能な識別子と、制御情報抽出ステップにより抽出された１つ以上の調理機器１００の制御情報とをサーバ３００に送信する送信ステップ（Ｓ８０５）と、送信ステップでサーバ３００に送信された調理レシピに対応する調理機器１００を一意に識別可能な識別子と、調理機器１００の制御情報とを格納する格納ステップ（Ｓ８０６）とを含む調理レシピの作成方法である。
【００８０】
これにより、上記調理レシピの作成システム１と同様の効果を奏する。
【００８１】
以上のように、本実施の形態における調理レシピの作成システムは、制御情報を含む調理レシピの作成方法であって、前記調理レシピを作成するために、調理機器の制御履歴の中から調理に用いられた制御情報を選択する際に、前記調理機器により調理が行われた時刻に関連する時刻情報である第一の時刻情報を取得する料理時刻取得ステップと、前記調理機器の制御が行われた時刻を示す第二の時刻情報に関連付けられた前記調理機器の制御情報を保存する制御履歴情報保存ステップと、前記調理機器を一意に識別可能な識別子と、前記調理機器の制御履歴情報とを取得する制御情報取得ステップと、前記第一の時刻情報から所定時間内にある１つ以上の前記第二の時刻情報に関連付けられた、１つ以上の調理機器の制御情報を抽出する制御情報抽出ステップと、前記調理レシピに対応する調理機器を一意に識別可能な識別子と、前記制御情報抽出ステップにより抽出された前記１つ以上の調理機器の制御情報とをサーバに送信する送信ステップと、前記送信ステップで前記サーバに送信された前記調理レシピに対応する調理機器を一意に識別可能な識別子と、前記調理機器の制御情報とを格納する格納ステップとを含む。
【００８２】
これによれば、過去に調理した料理であっても、当該料理に使用された調理機器の制御情報が抽出される。ユーザによる調理レシピ又は調理コメントの作成時に、抽出された調理機器の制御情報を提示することより、調理機器の制御内容から、ユーザが料理の作成手順等を書く手助けとなる。さらに、制御情報を調理レシピ又は調理コメントに含ませることも、ユーザに煩わしい入力手順を行わせることはなく、抽出する制御情報を調理レシピ又は調理コメントの作成情報とともにサーバに送信することで実現できる。また、調理レシピに付帯する情報としての制御情報が調理コメントに含まれるようになると、調理レシピとしての利用方法が広がる。例えば、ユーザが調理レシピに含まれる制御情報に適応する調理機器を所有していない場合、調理コメントの中から、自身の所有する調理機器に適用できる調理コメントを採用することで、調理機器の制御が可能となる。
【００８３】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記実施の形態の調理レシピの作成システムなどを実現するソフトウェアは、次のようなプログラムである。
【００８４】
すなわち、このプログラムは、コンピュータに、制御情報を含む調理レシピの作成方法であって、前記調理レシピを作成するために、調理機器の制御履歴の中から調理に用いられた制御情報を選択する際に、前記調理機器により調理が行われた時刻に関連する時刻情報である第一の時刻情報を取得する料理時刻取得ステップと、前記調理機器の制御が行われた時刻を示す第二の時刻情報に関連付けられた前記調理機器の制御情報を保存する制御履歴情報保存ステップと、前記調理機器を一意に識別可能な識別子と、前記調理機器の制御履歴情報とを取得する制御情報取得ステップと、前記第一の時刻情報から所定時間内にある１つ以上の前記第二の時刻情報に関連付けられた、１つ以上の調理機器の制御情報を抽出する制御情報抽出ステップと、前記調理レシピに対応する調理機器を一意に識別可能な識別子と、前記制御情報抽出ステップにより抽出された前記１つ以上の調理機器の制御情報とをサーバに送信する送信ステップと、前記送信ステップで前記サーバに送信された前記調理レシピに対応する調理機器を一意に識別可能な識別子と、前記調理機器の制御情報とを格納する格納ステップとを含む調理レシピの作成方法を実行させる。
【００８５】
以上、一つまたは複数の態様に係る調理レシピの作成システムなどについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【００８６】
以上のように、本発明にかかる調理レシピの作成方法によれば、調理時に利用した調理機器の制御情報を抽出し、制御情報を含んだ調理レシピ、又は、調理コメントが作成される。
【符号の説明】
【００８７】
１００  調理機器
１１０、２１０  無線部  
１２０、２３０  操作部  
１３０  制御部
１４０  時刻計測部
１５０、２５０、３２０  データ記憶部
１５１、３２３  調理機器識別情報
１５２  制御履歴情報
２００  情報端末
２２０  表示部
２４０  撮影部
２６０  制御演算部
２７０、３１０  通信部
３００  サーバ
３２１  調理レシピ情報
３２２  調理レシピ制御情報
４００  基地局
【図１】
2017021650.tif 000003
【図２】
2017021650.tif 000004
【図３】
2017021650.tif 000005
【図４】
2017021650.tif 000006
【図５】
2017021650.tif 000007
【図６】
2017021650.tif 000008
【図７】
2017021650.tif 000009
【図８】
2017021650.tif 000010